(57)【要約】【課題】  機器本体に上下方向に設けた取付孔を有し、この取付孔へ上下方向へ摺動可能に挿入される脚部を有するものにおいて、脚部の移動を確実にスムーズに行える原稿圧着板開閉装置を提供することにある。【解決手段】  原稿圧着板を有する事務機器の機器本体に上下方向に設けた取付孔１５に原稿圧着板開閉装置本体２の脚部３が摺動可能に挿入され、原稿圧着板開閉装置本体２に原稿圧着板が取り付けられて、機器本体に対して原稿圧着板を開閉可能に支持するものであって、脚部３に、取付孔１５の内壁に圧摺接する球状の摺動部材４を回転可能に設けたことにより、前記課題を解決した。【選択図】        図４Ａ
2008224704.tif 000002
【特許請求の範囲】
【請求項１】
原稿圧着板を有する事務機器の機器本体に上下方向に設けた取付孔に原稿圧着板開閉装置本体の脚部が摺動可能に挿入され、前記原稿圧着板開閉装置本体に前記原稿圧着板が取り付けられて、前記機器本体に対して前記原稿圧着板を開閉可能に支持する原稿圧着板開閉装置であって
前記脚部に、前記取付孔の内壁に圧摺接する球状の摺動部材を回転可能に設けたことを特徴とする、原稿圧着板開閉装置。
【請求項２】
前記摺動部材は、前記脚部の前部と後部に上下方向に位置をずらせて設けたことを特徴とする、請求項１に記載の原稿圧着板開閉装置。
【請求項３】
前記脚部には、前記取付孔に設けた係合凹部と係合する係合凸部を有する係合手段を設けたことを特徴とする、請求項１又は２に記載の原稿圧着板開閉装置。
【請求項４】
前記係合手段は、前記係合凸部と前記係合凹部との係合状態を解除する解除手段を有することを特徴とする、請求項３に記載の原稿圧着板開閉装置。
【請求項５】
前記係合凸部は、前記脚部の両側面に出没可能であると共に突出方向に付勢され、
前記解除手段は、前記脚部の前面の略下方に、出没可能であると共に突出方向に付勢され、かつ、没入方向に移動したとき、前記係合凸部を没入方向に移動させる抜出凸部を有し、
前記脚部を後方側に倒すと、前記抜出凸部が前記取付孔を形成する壁面に接触して没入方向に移動して、前記脚部を前記取付孔から抜き出せるようにしたことを特徴とする、請求項４に記載の原稿圧着板開閉装置。
【請求項６】
前記２つの係合凸部は、前記脚部にその幅方向に移動可能に支持されている一対の係合凸部材にそれぞれ設けられ、これら係合凸部材は、互いに接触して前記係合凸部を前記脚部から突出する方向に付勢する付勢部材と、前記脚部の前面側に設けられ、前記係合凸部が前記脚部から突出しているときに互いに離間し、前記係合凸部が前記脚部に没入したときに互いに当接又は近接する係合作動凹部とを有し、
前記抜出凸部は、前記脚部にその前後方向に移動可能に支持されている抜出凸部材に設けられ、この抜出凸部材の後面に、前記係合凸部材の各係合作動凹部と係合してこれら係合作動凹部が離間すると、前記抜出凸部が前記脚部から突出し、この抜出凸部を前記脚部に没入する方向に移動させると、前記２つの係合作動凹部が互いに当接又は近接して前記係合凸部が前記脚部に没入する係合作動凸部が設けられていることを特徴とする、請求項３に記載の原稿圧着板開閉装置。
【請求項７】
前記請求項１〜６のいずれか１項に記載の原稿圧着板開閉装置を備えたことを特徴とする、原稿圧着板を備えた事務機器。
【発明の詳細な説明】
【技術分野】
【０００１】
本発明は、複写機、印刷機、ファクシミリ、スキャナー等の原稿圧着板を有する事務機器に用いて好適な、原稿圧着板開閉装置、及び原稿圧着板を備えた事務機器に関するものである。
【背景技術】
【０００２】
複写機、印刷機、ファクシミリ、スキャナー等の事務機器の機器本体には、その機器本体の上面後部に原稿圧着板が原稿圧着板開閉装置を介して開閉可能に取り付けられている。原稿圧着板開閉装置は、一種のヒンジ機構であり、原稿圧着板をヒンジ軸まわりに回動可能に軸支して、機器本体の上面のコンタクトガラス上に原稿圧着板を圧着させることができると共に、そのコンタクトガラスを露出させることができる。原稿をコンタクトガラス上にセットするには、原稿圧着板を上方に回転させて（原稿圧着板がコンタクトガラスから離間する方向（開成方向ということがある。）に移動させて）コンタクトガラスを露出（開放）させ、そのコンタクトガラス上に原稿を載置した後、原稿圧着板を逆方向に回転させて閉じ、原稿圧着板で原稿をコンタクトガラス上に圧着させることにより、原稿をコンタクトガラス上にセットすることができる。
【０００３】
このような原稿圧着板開閉装置の中には、本等のように厚さが厚い原稿を機器本体の上面に安定して圧着させるために、原稿圧着板開閉装置が機器本体の上下方向に移動することができるようになっている原稿圧着板開閉装置が知られている（例えば、特許文献１参照。）。この原稿圧着板開閉装置は、機器本体の高さ方向に延びる脚部を備え、この脚部が機器本体に設けた取付孔に摺動可能に挿入されて、原稿圧着板開閉装置が機器本体にその高さ方向に移動可能に取り付けられている。
【特許文献１】特許第３２６２４５７号
【発明の開示】
【発明が解決しようとする課題】
【０００４】
この特許文献１に記載されている原稿圧着板開閉装置は、本等のように厚さが厚い原稿の場合、原稿をコンタクトガラス上にセットした後に原稿圧着板を閉じると、原稿圧着板開閉装置が機器本体の上方に移動して原稿圧着板がコンタクトガラスに対して平行になった状態で原稿に面接触してコンタクトガラス上を覆うことができるので、本等のように厚さが厚い原稿を機器本体の上面に安定して圧着させることができる上に、外光が機器本体の内部へ侵入して露光が妨げられるのを極力防止することができるものである。
【０００５】
ところで、前記特許文献１に記載されている原稿圧着板開閉装置の脚部には、円柱状のコロ部材が回転可能に設けられており、脚部を取付孔内で移動する際にコロ部材が取付孔の内壁を転がることによって、原稿圧着板開閉装置（脚部）の移動がスムーズに行われるようになっている。しかしながら、このような構成であると、脚部の移動はコロ部材が転がる方向でないと、コロ部材が回転しないので、原稿圧着板開閉装置（脚部）の移動をスムーズに行えないという問題があった。さらに、コロ部材が脚部に曲がって取り付けられていたり、使用している最中にコロ部材の軸がずれたりすると、脚部の移動の際にコロ部材が転がらないので、原稿圧着板開閉装置（脚部）の移動をスムーズに行えず、かえってその移動が行え難くなることもあった。
【０００６】
本発明は、前記課題を解決するためになされたものであって、その目的は、機器本体に上下方向に設けた取付孔を有し、この取付孔へ上下方向へ摺動可能に挿入される脚部を有するものにおいて、脚部の移動を確実にスムーズに行える原稿圧着板開閉装置及び原稿圧着板を備えた事務機器を提供することにある。
【課題を解決するための手段】
【０００７】
前記の目的を達成するために本発明に係る原稿圧着板開閉装置は、原稿圧着板を有する事務機器の機器本体に上下方向に設けた取付孔に原稿圧着板開閉装置本体の脚部が摺動可能に挿入され、前記原稿圧着板開閉装置本体に前記原稿圧着板が取り付けられて、前記機器本体に対して前記原稿圧着板を開閉可能に支持する原稿圧着板開閉装置であって前記脚部に、前記取付孔の内壁に圧摺接する球状の摺動部材を回転可能に設けたことを特徴とする。
【０００８】
この発明によれば、脚部に取付孔の内壁に摺接する球状の摺動部材を回転可能に設けたことで、取付孔に挿入された脚部が取付孔内を上下方向にどのように移動しても取付孔の内壁に当接している球状の摺動部材が回転するので、脚部の移動を確実にスムーズに行うことができる。
【０００９】
本発明に係る原稿圧着板開閉装置において、前記摺動部材は、前記脚部の前部と後部に上下方向に位置をずらせて設けることが好ましい。また、本発明に係る原稿圧着板開閉装置において、前記脚部には、前記取付孔に設けた係合凹部と係合する係合凸部を有する係合手段を設けることが好ましい。また、本発明に係る原稿圧着板開閉装置において、前記係合手段は、前記係合凸部と前記係合凹部との係合状態を解除する解除手段を有することが好ましい。
【００１０】
また、本発明に係る原稿圧着板開閉装置において、前記係合凸部は、前記脚部の両側面に出没可能であると共に突出方向に付勢され、前記解除手段は、前記脚部の前面の略下方に、出没可能であると共に突出方向に付勢され、かつ、没入方向に移動したとき、前記係合凸部を没入方向に移動させる抜出凸部を有し、前記脚部を後方側に倒すと、前記抜出凸部が前記取付孔を形成する壁面に接触して没入方向に移動して、前記脚部を前記取付孔から抜き出せるようにすることが好ましい。また、本発明に係る原稿圧着板開閉装置において、前記２つの係合凸部は、前記脚部にその幅方向に移動可能に支持されている一対の係合凸部材にそれぞれ設けられ、これら係合凸部材は、互いに接触して前記係合凸部を前記脚部から突出する方向に付勢する付勢部材と、前記脚部の前面側に設けられ、前記係合凸部が前記脚部から突出しているときに互いに離間し、前記係合凸部が前記脚部に没入したときに互いに当接又は近接する係合作動凹部とを有し、前記抜出凸部は、前記脚部にその前後方向に移動可能に支持されている抜出凸部材に設けられ、この抜出凸部材の後面に、前記係合凸部材の各係合作動凹部と係合してこれら係合作動凹部が離間すると、前記抜出凸部が前記脚部から突出し、この抜出凸部を前記脚部に没入する方向に移動させると、前記２つの係合作動凹部が互いに当接又は近接して前記係合凸部が前記脚部に没入する係合作動凸部が設けられていることが好ましい。
【００１１】
また、前記の目的を達成するために本発明に係る原稿圧着板を備えた事務機器は、前記の本発明に係る原稿圧着板開閉装置を備えたことを特徴とする。この発明によれば、前述と同様に、取付孔に挿入された脚部が取付孔内を上下方向にどのように移動しても取付孔の内壁に当接している球状の摺動部材が回転するので、脚部の移動を確実にスムーズに行うことができる。
【発明の効果】
【００１２】
以上説明したように本発明に係る原稿圧着板開閉装置及び原稿圧着板を備えた事務機器によれば、脚部に取付孔の内壁に摺接する球状の摺動部材を回転可能に設けたので、取付孔に挿入された脚部が取付孔内を上下方向にどのように移動しても取付孔の内壁に当接している球状の摺動部材が回転するので、脚部の移動を確実にスムーズに行うことができる。
【発明を実施するための最良の形態】
【００１３】
以下、本発明に係る原稿圧着板開閉装置及び原稿圧着板を備えた事務機器を添付図面に基づいて詳述する。
【００１４】
図１〜図５Ｂは本発明に係る原稿圧着板開閉装置の一例を示す図である。本発明に係る原稿圧着板開閉装置は、図１〜図３に示すように、事務機器１０の機器本体１１の後端部に、原稿圧着板１２を回動可能に取り付けるものである。事務機器１０としては、特に限定されず、例えば、複写機、印刷機、ファクシミリ、スキャナー等が挙げられ、特に複写機が好ましいものとして挙げられるが、特に限定せずに説明する。
【００１５】
本発明に係る原稿圧着板開閉装置１は、図１〜図５Ｂに示すように、原稿圧着板１２を有する事務機器１０の機器本体１１に設けた取付孔１５に原稿圧着板開閉装置本体２の脚部３が摺動可能に挿入され、原稿圧着板開閉装置本体２に原稿圧着板１２が取り付けられて、機器本体１１に対して原稿圧着板１２を開閉可能に支持するものであって、脚部３に、取付孔１５の内壁に圧摺接する球状の摺動部材４を回転可能に設けたことに特徴がある。
【００１６】
機器本体１１の上面には、例えば、コンタクトガラス（図示せず）が設けられ、このコンタクトガラスに原稿を原稿圧着板１２によって密着させると共に、コンタクトガラスが原稿圧着板１２によって覆い隠されるようになっている。機器本体１１の上面の後端部近傍の２箇所には、上下方向（高さ方向ということがある。）に延びる取付孔１５がそれぞれ設けられている。取付孔１５は、横断面矩形状であって凹状に形成されている。この取付孔１５の両側面には、高さ方向に延びる係合凹部１６が設けられている。係合凹部１６の高さ方向の長さは、特に限定されず、任意に設定される。
【００１７】
原稿圧着板開閉装置本体２は、事務機器１０の機器本体１１に脚部３を介して取り付けられるベース部材２１と、このベース部材２１に回動可能に軸支されると共に、原稿圧着板１２に取り付けられる支持部材２２と、ベース部材２１と支持部材２２との間に設けられ、原稿圧着板１２を開成方向に回転付勢する弾性部材２３とを備え、原稿圧着板１２を回転させて機器本体１１の上面を原稿圧着板１２で覆う閉成状態とその上面を露出させる開成状態とを形成するものである。
【００１８】
ベース部材２１は、図１〜図５Ｂ、図１０Ａ及び図１０Ｂに示すように、例えば、脚部３を有する底板２１ａと、底板２１ａの両側端部からそれぞれ底板２１ａに対して略直交する方向に延びる両側板２１ｂとを備えてなる。
【００１９】
底板２１ａは、略矩形状に形成されている。底板２１ａの下面には、下面から下方に延びる脚部３が設けられ、この脚部３が機器本体１１の取付孔１５に挿入されて、原稿圧着板開閉装置本体２が機器本体１１に取り付けられる。側板２１ｂには、ヒンジピン２４が挿通されるシャフト孔２１ｃが設けられている。側板２１ｂのシャフト孔２１ｃより前方には、受圧ピン２５が挿通される受圧ピン孔２１ｄが設けられている。受圧ピン２５は、カムスライダー２６を介して弾性部材２３が当接する受圧部材であり、この受圧部材は、受圧ピン２５等のピンに限定されず、ローラ例えば受圧ローラでもよい。
【００２０】
支持部材２２は、例えば、天板である上板２２ａと、上板２２ａの両側端部からそれぞれ上板２２ａに対して下方に略９０°折り曲げてなる両側板２２ｂと、上板２２ａの先端部を上板２２ａに対して下方に略９０°折り曲げてなる弾性部材支持部２２ｃとからなる。
【００２１】
両側板２２ｂの略中央部には、原稿圧着板１２の後端側にビス等で取り付けられる取付片２２ｄがそれぞれ設けられている。両側板２２ｂの一端部（前端部）には、シャフト挿通孔（図示せず）が設けられている。両側板２２ｂのシャフト挿通孔とベース部材２１のシャフト孔２１ｃとが孔合わせされ、これら孔２１ｃにワッシャー等を介してヒンジピン２４が挿通されることによって、支持部材２２がベース部材２１にヒンジピン２４を軸に回動可能に連結されている。
【００２２】
弾性部材２３は、原稿圧着板１２を開成方向に回転付勢するものである。なお、本発明において開成方向とは、原稿圧着板１２を回転させる際に原稿圧着板１２がコンタクトガラスから離間する方向をいう。本発明において閉成方向とは、開成方向とは反対の方向で原稿圧着板１２を回転させる際に原稿圧着板１２がコンタクトガラスに近づく方向をいう。
【００２３】
弾性部材２３は、特に限定されないが、例えば、圧縮コイルスプリング２３ａである。圧縮コイルスプリング２３ａは、支持部材２２内に収容されて弾性部材支持部２２ｃと受圧ピン２５との間に弾設されている。圧縮コイルスプリング２３ａの一端部は弾性部材支持部２２ｃに支持されていると共に、圧縮コイルスプリング２３ａの他端部は、例えば、矩形の有底筒体状に形成されたカムスライダー２６に収容され、このカムスライダー２６を介して受圧ピン２５に当接されている。圧縮コイルスプリング２３ａは、その個数は特に限定されず、１個でも２個以上でもよく図示例では１個で、カムスライダー２６を受圧ピン２５に当接させるように付勢するものである。
【００２４】
ベース部材２１に設けられている脚部３は、平面視略矩形状に形成されている。脚部３の幅は、係合凹部１６が設けられていない取付孔１５の幅より若干長い寸法で形成されていることが好ましい。また、脚部３の前後方向の長さは、取付孔１５の前後方向の長さより若干長い（脚部３の幅と取付孔１５の幅との差より長い）寸法で形成されていることが好ましい。また、脚部３の長さ（長手方向の長さ）は、特に限定されないが、取付孔１５の長手方向（深さ方向）の長さより短い寸法で形成されていることが好ましい。脚部３の前面の下方は、傾斜されてテーパ面３ａとして形成されていることが好ましい。
【００２５】
脚部３の高さ方向の中央部よりやや上方には、前後方向に延び前面及び後面をそれぞれ貫通する第１摺動部材取付孔３１が設けられている。この第１摺動部材取付孔３１内は、前面側に配置された摺動部材収容部３１ａと、後面側に配置され摺動部材収容部３１ａより大径でネジ溝を有するネジ部３１ｂとから２段に形成されている。摺動部材収容部３１ａの前方は、先端部にかけて漸次縮刑されて形成されている。すなわち、摺動部材収容部３１ａの先端開口部（第１開口部３１ｃということがある。）の径が一番小さな寸法で形成されている。
【００２６】
この第１摺動部材取付孔３１の摺動部材収容部３１ａ内に図６に示すように摺動部材である例えばボールベアリング４１が回転可能に収容されている。ボールベアリング４１は、第１開口部３１ｃの径より大きく、摺動部材収容部３１ａ（第１開口部３１ｃ及びその前方の縮径している部分を除く）の径より小さな寸法、例えば、この摺動部材収容部３１ａの径より若干小さな寸法で形成されており、摺動部材収容部３１ａ内に収容された状態で第１開口部３１ｃから一部が突出し得るようになっている。
【００２７】
第１摺動部材取付孔３１のネジ部３１ｂには、蓋体３２が螺合されて、第１摺動部材取付孔３１の後面側が閉塞されている。蓋体３２は、第１摺動部材取付孔３１の後面側を閉塞するものであり、例えば、ネジ部３１ｂに螺合する螺合部材である。これにより、ボールベアリング４１は、第１摺動部材取付孔３１から出ないように第１摺動部材取付孔３１内に収容されている。蓋体３２とボールベアリング４１との間には、付勢部材である例えば圧縮コイルスプリング３３が設けられている。圧縮コイルスプリング３３とボールベアリング４１との間には、ワッシャー３４が設けられており、圧縮コイルスプリング３３の付勢力によりワッシャー３４を介してボールベアリング４１の一部が第１開口部３１ｃから突出して、脚部３が取付孔１５に挿入されたとき、ボールベアリング４１が取付孔１５の内壁に圧摺接するようになっている。
【００２８】
また、脚部３の高さ方向の下方には、図１０Ａ及び図１０Ｂに示すように、前後方向に延び前面のテーパ面３ａ及び後面をそれぞれ貫通する第２摺動部材取付孔３５が設けられている。この第２摺動部材取付孔３５内は、第１摺動部材取付孔３１とは反対で、後面側に配置された摺動部材収容部３５ａと、後面側に配置され摺動部材収容部３５ａより大径でネジ溝を有するネジ部３５ｂとから２段に形成されている。摺動部材収容部３５ａの後方は、後方側の開口部（第２開口部３５ｃということがある。）にかけて漸次縮刑されて形成されている。すなわち、摺動部材収容部３５ａの第２開口部３５ｃの径が一番小さな寸法で形成されている。
【００２９】
この第２摺動部材取付孔３５の摺動部材収容部３５ａ内に図７に示すように摺動部材４である例えばボールベアリング４２が回転可能に収容されている。ボールベアリング４２は、第２開口部３５ｃの径より大きく、摺動部材収容部３５ａ（第２開口部３５ｃ及び縮径されている箇所を除く）の径より小さな寸法、例えば、この摺動部材収容部３５ａの径より若干小さな寸法で形成されており、摺動部材収容部３５ａ内に収容された状態で第２開口部３５ｃからボールベアリング４２の一部が突出し得るようになっている。
【００３０】
第２摺動部材取付孔３５のネジ部３５ｂには、蓋体３６が螺合されて、第２摺動部材取付孔３５の前面側が閉塞されている。蓋体３６は、第２摺動部材取付孔３５の前面側を閉塞するものであり、例えば、ネジ部に螺合する螺合部材である。これにより、ボールベアリング４２は、第２摺動部材取付孔３５から出ないよう第２摺動部材取付孔３５に収容されている。蓋体３６とボールベアリング４２との間には、付勢部材である例えば圧縮コイルスプリング３７が設けられている。圧縮コイルスプリング３７とボールベアリング４２との間には、ワッシャー３８が設けられており、圧縮コイルスプリング３７の付勢力によりワッシャー３８を介してボールベアリング４２の一部が第２開口部３５ｃから突出して、脚部３が取付孔１５に挿入されたとき、ボールベアリング４１が取付孔１５の内壁に圧摺接するようになっている。この第２開口部３５ｃから突出したボールベアリング４２が取付孔１５の後面に圧摺接すると共に、第１開口部３１ｃから突出したボールベアリング４１が取付孔１５の前面に圧摺接して、脚部３（原稿圧着板開閉装置本体２）が高さ方向にスムーズに移動し得るようになっている。
【００３１】
また、脚部３には、取付孔１５に設けた係合凹部１６と係合する係合凸部６２、７２を有する係合手段５が設けられていることが好ましい。係合手段５は、係合凸部６２、７２と係合凹部１６との係合状態を解除する解除手段８を有することが好ましい。係合手段５としては、係合凹部１６との係合及びその係合状態を解除することができれば特に限定されず、例えば、係合凸部６２、７２を有する一対の係合凸部材６１、７１と、解除手段８の構成要素である抜出凸部材移動部５３に抜出凸部材８１とを備えてなることが好ましい。
【００３２】
脚部３の高さ方向の下方であってテーパ面３ａより上方には、図８〜図１０Ｂに示すように、幅方向（左右方向）に延び両側面をそれぞれ貫通する係合凸部材作動部５１が設けられている。この係合凸部材作動部５１は、側面視前面側が突出した略凸状に形成されている。係合凸部材作動部５１の後部には、貫通孔５２が２つ設けられている。これら貫通孔５２は、幅方向の中央部を中心にして対称に配置されている。また、係合凸部材作動部５１の凸状の先端部と前面側とが円形に貫通して抜出凸部材移動部５３として形成されている。係合凸部材作動部５１に一対の係合凸部材６１、７１が移動可能に設けられていると共に、係合凸部材作動部５１及び抜出凸部材移動部５３に抜出凸部材８１が移動可能に設けられている。
【００３３】
一対の係合凸部材は、左係合凸部材６１と右係合凸部材７１とからなる。左係合凸部材６１の左側の側面は、図１１に示すように、左側の係合凸部材作動部５１（脚部３の左側面）から突出する係合凸部６２であり、高さ方向の上方と中央部との略間から下方にかけて傾斜されて傾斜面６２ａとして形成されている。また、左係合凸部材左側の前面には、係合凸部と反対側の側端部から傾斜された断面三角形状の係合作動凹部６３が設けられている。また、左係合凸部材６１の後面であって係合凸部６２と反対側の側端部側の後面は、前後方向に突出して抜出防止凸部６４として形成されている。また、左係合凸部材６１の係合凸部６２と反対側の側部には、下端部に取り付けられ傾斜された板ばね６５が設けられている。板ばね６５は付勢部材の一例であり、他の付勢部材を用いるようにしてもよい。板ばね６５が設けられている左係合凸部材６１の面（第１面６１ａということがある。）には、付勢力に抗してその板ばね６５を収容するばね収容部６６が設けられている。
【００３４】
右係合凸部材７１は、図１２に示すように、左係合凸部材６１と板ばねを除いて左右対称に設けられている。すなわち、右係合凸部材７１は、右側の側面に係合凸部７２が設けられ、前面に係合作動凹部７３が設けられ、後面に抜出防止凸部７４が設けられている。右係合凸部材７１の板ばね７５は、左係合凸部材６１の板ばね６５と上下が逆で、右係合凸部材７１の上端部に取り付けられている。板ばね７５は付勢部材の一例であり、他の付勢部材を用いるようにしてもよい。板ばね７５が設けられている右係合凸部材７１の面（第２面７１ａということがある。）には、付勢力に抗してその板ばね７５を収容するばね収容部７６が設けられている。左係合凸部材６１及び右係合凸部材７１は、図９に示すように、互いの板ばね６５、７５の付勢力に抗して第１面６１ａ及び第２面７１ａを互いに面接触したとき、左係合凸部材６１及び右係合凸部材７１の幅が係合凸部材作動部５１の幅（脚部３の幅）より若干短い寸法で形成されている。すなわち、一対の係合凸部６２、７２が係合凸部材作動部５１内に収容しうる寸法で左係合凸部材６１及び右係合凸部材７１の幅が形成されている。
【００３５】
抜出凸部材８１は、図８、図９及び図１３に示すように、抜出凸部材移動部５３に挿通される抜出凸部８２と、係合凸部材作動部５１内に設けられる作動部８３とからなる。抜出凸部８２は、抜出凸部材移動部５３の径より若干小さな径の円形であって抜出凸部材移動部５３の軸方向の長さより長い長さに形成されている。抜出凸部８２の先端面の下面は、傾斜されていることが好ましい。作動部８３は、矩形状に形成されている。作動部８３の後面は、中央部から両側端部までが後方側にそれぞれ突出した２つの係合作動凸部８４が設けられている。すなわち、作動部８３の後面は、略Ｖ字状に形成されている。これら係合作動凸部８４は、一対の係合凸部材６１、７１の係合作動凹部６３、７３にそれぞれ係合するように形成されている。すなわち、係合作動凸部８４の傾斜面と係合作動凹部６３、７３の傾斜面とが互いに面接触して係合するように係合作動凸部８４及び係合作動凹部６３、７３がそれぞれ形成されている。
【００３６】
一対の係合凸部材６１、７１は、抜出凸部材移動部５３に抜出凸部８２が挿入された抜出凸部材８１の係合作動凸部８４に係合作動凹部６３、７３が係合されると共に、一対の係合凸部材６１、７１と係合凸部材作動部５１の後面側の壁面との間に設けられた２つの抜け出防止部材９１によって幅方向に移動可能であって係合凸部材作動部５１から抜け出ないようになっている。抜け出防止部材９１は、図８、図９及び図１４に示すように、例えば、略９０°に折り曲げられてなる抜け出係合部９２を有する略Ｌ字状に形成されている。抜け出防止部材９１には、内周面にネジ溝を有する取付孔９３が設けられており、貫通孔５２を介したビス９５等を取付孔９３に螺合させて抜け出防止部材９１が脚部３の係合凸部材作動部５１内に固定され、係合凸部６２、７２が係合凸部材作動部５１（脚部３の側面）から突出したとき、一対の係合凸部材６１、７１の抜出防止凸部６４、７４と抜け出防止部材９１の抜け出係合部９２とが係合すると共に、抜出凸部材８１の係合作動凸部８４と一対の係合凸部材６１、７１の各係合作動凹部６３、７３とがそれぞれ係合して、一対の係合凸部材６１、７１が係合凸部材作動部５１から抜け出ないようになっている。
【００３７】
これにより、一対の係合凸部材６１、７１の板ばね６５、７５が互いに接触して互いの付勢力により一対の係合凸部材６１、７１は互いに離間する方向に付勢されて一対の係合凸部６２、７２が係合凸部材作動部５１（脚部３の側面）から突出するようになっていると共に、このとき、一対の係合凸部材６１、７１の各係合作動凹部６３、７３と抜出凸部材８１の係合作動凸部８４とが係合して抜出凸部８２が抜出凸部材移動部５３（脚部３の前面）から突出するように構成されている。また、抜出凸部８２を抜出凸部材移動部５３内に没入させる方向に移動させると、抜出凸部材８１が係合凸部材作動部５１内に押し込まれて、係合作動凸部８４の傾斜面に沿って係合作動凹部６３、７３が移動して一対の係合凸部材６１、７１が互い近づく方向に板ばね６５、７５の付勢力に抗して移動し、左係合凸部材６１の第１面６１ａと右係合凸部材７１の第２面７１ａとが接触又は近接すると共に、２つの係合凸部６２、７２が脚部３の側面内に没入するように構成されている。
【００３８】
次に、本発明に係る原稿圧着板開閉装置１及び事務機器１０の作用を説明する。
【００３９】
原稿圧着板１２は、機器本体１１が使用されていない状態では、図１に示すように、機器本体１１のコンタクトガラスに密着されてコンタクトガラスが覆い隠されている。コンタクトガラス上に原稿を載置するには、まず、原稿圧着板開閉装置本体２が取り付けられている箇所とは反対側の原稿圧着板１２の端部又はその近傍等を持って、原稿圧着板１２を上方に持ち上げる。すなわち、原稿圧着板１２をヒンジピン２４を軸に回転させてコンタクトガラス面を外部に露出させる。このように原稿圧着板１２を回転させるとき、原稿圧着板１２は、圧縮コイルスプリング２３ａの付勢力によって開成方向に回転付勢されているので、重量を感じさせることなく開成方向に回転することができる。
【００４０】
露出したコンタクトガラス面上に原稿を載置した後、持ち上げた原稿圧着板１２を降ろす。すなわち、原稿圧着板１２をコンタクトガラスと接触する閉成方向にヒンジピン２４を軸に回転させて下方に移動させて閉成状態にする。このとき、原稿が薄物例えば薄い紙１枚であると、原稿圧着板１２はヒンジピン２４を軸に回転のみして原稿圧着板１２によって原稿がコンタクトガラス上から浮き上がることなくコンタクトガラスに密着され、原稿を良好に複写等することができる。
【００４１】
原稿が本のように厚さが厚い場合、原稿圧着板１２を回転させる（下方に移動させる）と、原稿圧着板１２が閉成状態になる前、すなわち、原稿圧着板１２が機器本体の上面（コンタクトガラス）と略平行になる前に、原稿圧着板が原稿１７（図３参照。）の端部に接触して、この原稿１７の端部とは反対側の端部と原稿圧着板１２との間に空間が形成される。すなわち、原稿圧着板１２は、原稿圧着板開閉装置本体２と反対側の端部が浮いた状態となる。その浮いている側の原稿圧着板１２を機器本体１１側に押圧したり原稿圧着板１２の自重により、脚部３が取付孔１５から抜け出る方向（上方）に移動して原稿圧着板開閉装置本体２が上方に移動すると共に、原稿圧着板１２がヒンジピン２４を軸に回転する。すなわち、原稿１７の上部を覆うように原稿圧着板開閉装置本体２の高さが自動的に調節されて原稿圧着板１２が移動する。例えば、その原稿１７の上部が平坦面である場合には、図３に示すように、この上部に原稿圧着板１２が面接触する。その結果、厚さが厚い原稿が安定してコンタクトガラスに密着されることになる。よって、原稿圧着板１２は、原稿の厚さに関係なく原稿を安定してコンタクトガラスに密着することができる。
【００４２】
このように、脚部３が取付孔１５内を移動するとき、脚部３にボールベアリング４１、４２が回転可能に設けられ、このボールベアリング４１、４２が取付孔１５を形成する前面及び後面に当接しているために、このボールベアリング４１、４２が回転するので、脚部３の移動を確実にスムーズに行うことができる。すなわち、脚部３がどのように移動しても取付孔１５の内壁に当接しているボールベアリング４１、４２が回転するので、脚部３の移動をスムーズに行うことができる。また、原稿圧着板１２を閉める方向に回転させたとき、脚部３の高さ方向の中央部より上方の前面が取付孔１５を形成する前面側の壁面に接触すると共に、脚部３の下方の後面が取付孔１５を形成する後面側の壁面に接触するために、取付孔１５を形成する壁面に接触する脚部３の高さ方向の中央部よりやや上方の前面と下方の後面にボールベアリング４１、４２をそれぞれ設けることで、脚部３が上方に移動するときに、ボールベアリング４１、４２が確実に取付孔１５を形成する壁面に接触する。従って、脚部３の移動を確実にスムーズに行うことができる。
【００４３】
また、脚部３の両側面から係合凸部６２、７２がそれぞれ突出していると共に、これら係合凸部６２、７２が取付孔１５の係合凹部１６内に突出しているので、脚部３を取付孔１５から抜き出そうとしても係合凸部６２、７２が係合凹部１６に係合して（図４Ａ（ｂ）及び図４Ｂ（ｃ）参照。）事務機器１０を使用している最中に脚部３が取付孔１５から抜け出ることがない。
【００４４】
また、メンテナンス等の場合には、原稿圧着板開閉装置本体２を介して脚部３を後部側に倒す（図４Ｂ（ｃ）及び（ｄ）参照。）。すると、脚部３の前面の下方が取付孔１５を形成する前面側の壁面に当接すると共に、この壁面に抜出凸部８２の先端部が当接して、抜出凸部８２が抜出凸部材移動部５３内に没入する方向に移動する。抜出凸部材８１が係合凸部材作動部５１内に押し込まれて、係合作動凸部８４の傾斜面に沿って係合作動凹部６３、７３が移動して一対の係合凸部材６１、７１が互いに近づく方向に板ばね６５、７５の付勢力に抗して移動し、左係合凸部材６１の第１面６１ａと右係合凸部材７１の第２面７１ａとが接触又は近接すると共に、２つの係合凸部６２、７２が脚部３の側面内に没入する。これにより、係合凸部６２、７２と係合凹部１６との係合が解除されるので、脚部３を後部側に倒した状態のまま脚部３を取付孔１５から抜ける方向に移動させると、脚部３を取付孔１５から抜き取ることができる（図４Ｂ（ｅ）参照。）。また、脚部３の前面の下部がテーパ面３ａとして形成されていることで、確実に抜出凸部材８１を取付孔１５を形成する壁に当接させることができ、脚部３を取付孔１５から確実に抜き取ることができる。従って、脚部３を後部側に倒すことにより脚部３を取付孔１５から抜き取ることができるので、メンテナンスや部品等の交換を容易に行うことができる。
【００４５】
また、脚部３を取付孔１５に取り付けるには、脚部３を先端部から取付孔１５に挿入すると、脚部３の両側面から突出する係合凸部６２、７２が取付孔１５を形成する壁の端部に当接する。このとき、係合凸部６２、７２の下方が傾斜面６２ａ、７２ａとして形成されているので、脚部３の移動と共に係合凸部６２、７２が板ばね６５、７５の付勢力に抗して没入方向に移動して脚部３を取付孔１５内に挿入して取りつけることができる。没入方向に移動した係合凸部６２、７２は、取付孔１５の係合凹部１６に至ると、板ばね６５、７５の付勢力によって脚部３の両側部から突出して係合凹部１６に係合する。その結果、脚部３を取付孔１５に挿入することで、脚部３が取付孔１５に取り付けられて原稿圧着板開閉装置本体２を介して原稿圧着板１２を機器本体１１に簡単に取り付けることができる。従って、原稿圧着板開閉装置本体２及び原稿圧着板１２の取り付け及び取り外しを簡単に行え、かつ、部品点数が少なく、コストダウンを図れる。
【産業上の利用可能性】
【００４６】
以上説明したように本発明に係る原稿圧着板開閉装置は、脚部に取付孔の内壁に摺接する球状の摺動部材を回転可能に設けたので、取付孔に挿入された脚部が取付孔内を上下方向にどのように移動しても取付孔の内壁に当接している球状の摺動部材が回転するので、脚部の移動を確実にスムーズに行うことができることから、特に複写機、印刷機、ファクシミリ、スキャナー等の事務機器の原稿圧着板開閉装置として好適に用いられるものである。
【図面の簡単な説明】
【００４７】
【図１】本発明に係る原稿圧着板開閉装置を備えた事務機器の一例を示し、原稿圧着板を閉じた状態を示す図で、（ａ）は概略平面図、（ｂ）は概略側面図である。
【図２】本発明に係る原稿圧着板開閉装置を備えた事務機器の一例を示し、原稿圧着板を９０°開いた状態を示す概略側面図である。
【図３】本発明に係る原稿圧着板開閉装置を備えた事務機器の一例を示し、厚物の原稿を介して原稿圧着板を閉じた状態を示す概略側面図である。
【図４Ａ】本発明に係る原稿圧着板開閉装置の一例を示す図で、（ａ）は脚部が取付孔の奥まで挿入された状態を示す正面図、（ｂ）は係合凸部が係合凹部に係合している状態を示す正面図である。
【図４Ｂ】本発明に係る原稿圧着板開閉装置の一例を示す図で、（ｃ）は係合凸部が係合凹部に係合している状態を示す側面図、（ｄ）は原稿圧着板開閉装置本体を後方側に倒して係合凸部を没入方向に移動させた状態を示す側面図、（ｅ）は脚部を取付孔から抜いた状態を示す正面図である。
【図５Ａ】本発明に係る原稿圧着板開閉装置の一例を示す図で、（ａ）は正面図、（ｂ）は右側面図である。
【図５Ｂ】本発明に係る原稿圧着板開閉装置の一例を示す図で、（ｃ）は背面図、（ｄ）は斜視図である。
【図６】図５Ａ（ａ）中のＡ−Ａ線矢視断面図である。
【図７】図５Ａ（ａ）中のＢ−Ｂ線矢視断面図である。
【図８】図５Ａ（ａ）中のＣ−Ｃ線矢視断面図である。
【図９】本発明に係る係合凸部を没入させた状態を示す断面図である。
【図１０Ａ】本発明に係る取付部材の一例を示す図で、（ａ）は斜視図、（ｂ）は背面図である。
【図１０Ｂ】本発明に係る取付部材の一例を示す図で、（ｃ）は右側面図、（ｄ）は図１０Ａ（ｂ）中のＤ−Ｄ線矢視断面図である。
【図１１】本発明に係る左係合凸部材の一例を示す図で、（ａ）は斜視図、（ｂ）は平面図、（ｃ）は正面図、（ｄ）は右側面図、（ｅ）は底面図である。
【図１２】本発明に係る右係合凸部材の一例を示す図で、（ａ）は斜視図、（ｂ）は平面図、（ｃ）は正面図、（ｄ）は左側面図、（ｅ）は底面図である。
【図１３】本発明に係る係合凸部の一例を示す図で、（ａ）は斜視図、（ｂ）は平面図、（ｃ）は右側面図、（ｄ）は正面図である。
【図１４】本発明に係る取付部材の一例を示す図で、（ａ）は斜視図、（ｂ）は平面図、（ｃ）は正面図、（ｄ）は右側面図ある。
【符号の説明】
【００４８】
１  原稿圧着板開閉装置
２  原稿圧着板開閉装置本体
３  脚部
４  摺動部材
５  係合手段
８  解除手段
１０  事務機器
１１  機器本体
１２  原稿圧着板
１５  取付孔
１６  係合凹部
３１  第１摺動部材取付孔
３５  第２摺動部材取付孔
４１、４２  ボールベアリング
６１  係合凸部材
６２  係合凸部
６５  板ばね
７１  係合凸部材
７２  係合凸部
７５  板ばね
８１  抜出凸部材
８２  抜出凸部
【図１】
2008224704.tif 000003
【図２】
2008224704.tif 000004
【図３】
2008224704.tif 000005
【図４Ａ】
2008224704.tif 000006
【図４Ｂ】
2008224704.tif 000007
【図５Ａ】
2008224704.tif 000008
【図５Ｂ】
2008224704.tif 000009
【図６】
2008224704.tif 000010
【図７】
2008224704.tif 000011
【図８】
2008224704.tif 000012
【図９】
2008224704.tif 000013
【図１０Ａ】
2008224704.tif 000014
【図１０Ｂ】
2008224704.tif 000015
【図１１】
2008224704.tif 000016
【図１２】
2008224704.tif 000017
【図１３】
2008224704.tif 000018
【図１４】
2008224704.tif 000019